(57)【要約】【課題】ＲＳＳデータを取得して、表示部に適宜表示させることができる撮像装置、情報表示方法およびプログラムを提供すること。【解決手段】撮像装置１００は、被写体の撮像を行う撮像部１０３と、撮像部１０３によって撮像された画像を表示させる表示部１０２と、外部機器１０６と通信を行う通信部１０５と、通信部１０５を介してＲＳＳデータを取得するＲＳＳデータ取得部１０１と、ＲＳＳデータ取得部１０１によって取得されたＲＳＳデータを解析して、表示部１０２に表示させる情報を抽出するＲＳＳデータ解析部１０４と、ＲＳＳデータ解析部１０４によって抽出された情報を、表示部１０２に表示させる表示制御部１０１とを備えており、ＲＳＳデータを表示部１０２に表示させている。【選択図】図１
2008236109.tif 000002
【特許請求の範囲】
【請求項１】
被写体の撮像を行う撮像部と、
前記撮像部によって撮像された画像を表示させる表示部と、
外部機器とワイヤレス通信を行う通信部と、
前記通信部を介してＲＳＳデータを取得するＲＳＳデータ取得部と、
前記ＲＳＳデータ取得部によって取得されたＲＳＳデータを解析して、前記表示部に表示させる情報を抽出するＲＳＳデータ解析部と、
前記ＲＳＳデータ解析部によって抽出された情報を、前記表示部に表示させる表示制御部と
を備えた撮像装置。
【請求項２】
前記表示制御部は、前記ＲＳＳデータ解析部によって抽出された情報を、前記表示部の画面の端部に、スクロールさせながら表示させる
請求項１に記載の撮像装置。
【請求項３】
前記表示制御部は、前記ＲＳＳデータ解析部によって抽出された情報を、前記表示部の画面上に、透過的に表示させる
請求項１に記載の撮像装置。
【請求項４】
撮像装置における情報表示方法であって、前記方法は、撮像装置に対して、
ワイヤレスＬＡＮのアクセス・ポイントを探索させるステップと、
ネットワークを介して接続されたサーバにアクセスさせるステップと、
前記サーバからＷｅｂページを取得させるステップと、
前記Ｗｅｂページについて、オートディスカバリー機能へのリンク情報が記述されているかを検査させるステップと、
前記リンク情報の検索成功に応答して前記Ｗｅｂページに対応して登録されたＲＳＳデータをダウンロードして記憶部に記憶させるステップと、
前記ダウンロードされたＲＳＳデータを前記記憶部から読出して、前記ＲＳＳデータのフォーマットを変更し、前記撮像装置が表示する表示データを作成し、前記記憶部に格納させるステップと
を実行させる、情報表示方法。
【請求項５】
さらに、前記撮像装置に対し、
前記表示データを読出し、前記撮像装置の表示部に割当てられた表示領域に、前記表示データをスクロール表示させるステップを実行させる、請求項４に記載の情報表示方法。
【請求項６】
さらに、前記撮像装置に対し、
前記撮像装置の表示部に表示する画像データについて透過色指定させるステップと、
前記表示データを前記記憶部から読出して前記表示部に割当てられた表示領域に透過表示させるステップと
を実行させる、請求項４に記載の情報表示方法。
【請求項７】
ワイヤレスＬＡＮのアクセス・ポイントを探索させる手段と、
ネットワークを介して接続されたサーバにアクセスさせる手段と、
前記サーバからＷｅｂページを取得させる手段と、
前記Ｗｅｂページについてオートディスカバリー機能へのリンク情報が記述されているかを検査させる手段と、
前記リンク情報の検索成功に応答して前記Ｗｅｂページに対応して登録されたＲＳＳデータをダウンロードして記憶部に記憶させる手段と、
前記ダウンロードされたＲＳＳデータを前記記憶部から読出して、前記ＲＳＳデータのフォーマットを変更し、前記撮像装置が表示する表示データを作成し、前記記憶部に格納させる手段と
を撮像装置に実現する、装置実行可能なプログラム。
【請求項８】
さらに、前記表示データを読出し、前記撮像装置の表示部に割当てられた表示領域に、前記表示データをスクロール表示させる手段を実現する、請求項７に記載のプログラム。
【請求項９】
さらに、前記撮像装置に対し、
前記撮像装置の表示部に表示する画像データについて透過色指定させる手段と、
前記表示データを前記記憶部から読出して前記表示部に割当てられた表示領域に透過表示させる手段と
を実現する、請求項７に記載のプログラム。
【発明の詳細な説明】
【技術分野】
【０００１】
本発明は、撮像装置での情報表示に関する。
【背景技術】
【０００２】
近年、デジタル（スチル）カメラが広く利用されるようになっているが、最近では、撮像装置を外部の機器と接続するための手段として、これまで一般的であったＵＳＢ以外に、Ｂｌｕｅｔｏｏｔｈ（登録商標）やワイヤレスＬＡＮなどのワイヤレス・インタフェースが利用できるようになってきている。そして、このようなワイヤレス・インタフェースを利用して、インターネットその他のネットワークに接続することができるようになっている。
【０００３】
一方、インターネットの世界では、最近、更新情報その他のＷｅｂサイトに関する情報を配信するＲＳＳフィードが広く利用され始めている。ＲＳＳフィード（ＲＳＳデータ）とは、更新情報その他のＷｅｂサイトに関する情報を、ＸＭＬ（eXtensible Markup Language）で記述したテキスト・データ（テキスト・ファイル）であり、ユーザは、ＲＳＳフィードをダウンロードするだけで、ＷｅｂブラウザでＷｅｂサイトを訪れなくても、当該Ｗｅｂサイトの更新情報などを知ることができるようになる。
【０００４】
このようにＲＳＳフィードは、情報の配信・収集に便利なものであるが、従来の撮像装置で、ＲＳＳフィードを利用できるものはなかった。
【０００５】
なお、米国特許第５８１９２８４号明細書には、スクリーン・セーバー動作時に、通信ネットワークを介して、各ユーザの興味がある事項に関連した情報を受信し、受信した情報を、スクリーン・セーバーとして画面に表示させるパーソナル・コンピュータが記載されている。
【特許文献１】米国特許第５８１９２８４号明細書
【発明の開示】
【発明が解決しようとする課題】
【０００６】
本発明の目的は、ＲＳＳデータを取得して、表示部に撮像装置本来の機能を損なうことなく、効率的に表示させることができる撮像装置、情報表示方法およびプログラムを提供することにある。
【課題を解決するための手段】
【０００７】
本発明では、外部機器と通信（例えば、ワイヤレス通信）を行う通信部を介してＲＳＳデータを取得し、取得したＲＳＳデータを解析して、表示部に表示させる情報を抽出し、抽出された情報を、表示部に適宜表示させる。
【０００８】
本発明の撮像装置は、被写体の撮像を行う撮像部と、前記撮像部によって撮像された画像を表示させる表示部と、外部機器と通信を行う通信部と、前記通信部を介してＲＳＳデータを取得するＲＳＳデータ取得部と、前記ＲＳＳデータ取得部によって取得されたＲＳＳデータを解析して、前記表示部に表示させる情報を抽出するＲＳＳデータ解析部と、前記ＲＳＳデータ解析部によって抽出された情報を、前記表示部に表示させる表示制御部とを備える。
【０００９】
この場合において、前記表示制御部は、前記ＲＳＳデータ解析部によって抽出された情報を、撮影などの邪魔にならない位置や態様で前記表示部に表示させるようにしてもよい。例えば、前記表示部の画面の端部（例えば、下端部）に、スクロールさせながら表示させるようにしてもよい。また、前記ＲＳＳデータ解析部によって抽出された情報が画像情報の場合は、前記表示部の画面上に、透過的に表示させるようにしてもよい。
【００１０】
また、本発明の情報表示方法では、撮像装置における情報表示方法であって、前記方法は、撮像装置に対して、ワイヤレスＬＡＮのアクセス・ポイントを探索させるステップと、ネットワークを介して接続されたサーバにアクセスさせるステップと、前記サーバからＷｅｂページを取得させるステップと、前記Ｗｅｂページについてオートディスカバリー機能へのリンク情報が記述されているかを検査させるステップと、前記リンク情報の検索成功に応答して前記Ｗｅｂページに対応して登録されたＲＳＳデータをダウンロードして記憶部に記憶させるステップと、前記ダウンロードされたＲＳＳデータを前記記憶部から読出して、前記ＲＳＳデータのフォーマットを変更し、前記撮像装置が表示する表示データを作成し、前記記憶部に格納させるステップとを実行させる、情報表示方法が提供される。
【００１１】
本発明の情報表示方法では、さらに、前記撮像装置に対し、前記表示データを読出し、前記撮像装置の表示部に割当てられた表示領域に、前記表示データをスクロール表示させるステップを実行させることができる。さらに、前記撮像装置に対し、前記撮像装置の表示部に表示する画像データについて透過色指定させるステップと、前記表示データを前記記憶部から読出して前記表示部に割当てられた表示領域に透過表示させるステップとを実行させることもできる。
【００１２】
さらに、本発明では、ワイヤレスＬＡＮのアクセス・ポイントを探索させる手段と、ネットワークを介して接続されたサーバにアクセスさせる手段と、前記サーバからＷｅｂページを取得させる手段と、前記Ｗｅｂページについてオートディスカバリー機能へのリンク情報が記述されているかを検査させる手段と、前記リンク情報の検索成功に応答して前記Ｗｅｂページに対応して登録されたＲＳＳデータをダウンロードして記憶部に記憶させる手段と、前記ダウンロードされたＲＳＳデータを前記記憶部から読出して、前記ＲＳＳデータのフォーマットを変更し、前記撮像装置が表示する表示データを作成し、前記記憶部に格納させる手段とを撮像装置に実現する、装置実行可能なプログラムが提供される。
【００１３】
本発明では、さらに、前記表示データを読出し、前記撮像装置の表示部に割当てられた表示領域に、前記表示データをスクロール表示させる手段を実現することができる。また、本発明では、前記撮像装置に対し、前記撮像装置の表示部に表示する画像データについて透過色指定させる手段と、前記表示データを前記記憶部から読出して前記表示部に割当てられた表示領域に透過表示させる手段とを実現することができる。
【発明を実施するための最良の形態】
【００１４】
以下、本発明を図面に示した実施形態をもって説明するが、本発明は後述する実施形態に限定されるわけではない。
【００１５】
図１は、本発明の撮像装置の実施形態を示す。図１に示すように、撮像装置１００は、制御部１０１と、表示部１０２と、撮像部１０３と、ＲＳＳデータパーサ１０４と、通信部１０５とを備える。また、撮像装置１００は、通信部１０５を介して、サーバ１０６と接続することができる。制御部１０１は、撮像装置１００を構成する各構成要素１０２〜１０５を制御して、撮像装置１００が提供する各種機能を実現するものである。
【００１６】
表示部１０２は、撮像装置１００によって撮影した画像や各種情報（撮像装置１００の設定情報や内部状態情報、後述するＲＳＳデータから抽出された情報など）を表示するものである。表示部１０２は、例えば、液晶ディスプレイなどによって構成される。撮像部１０３は、撮像装置１００のハードウェア（後述）を使用して、被写体の撮像を行って、画像データを作成するものである。
【００１７】
ＲＳＳデータパーサ１０４は、通信部１０５を介して、サーバ１０６からダウンロードしたＲＳＳデータ（ＲＳＳフィード）をパース（解析）するものである。ＲＳＳデータパーサ１０４は、ＸＭＬベースのＲＳＳフォーマットに従って記述されたＲＳＳデータから必要な情報を取り出して、表示部１０２に表示させるためのデータを作成する。
【００１８】
通信部１０５は、撮像装置１００と外部機器（例えば、サーバ１０６）との間の通信を、ネットワーク１０７を介して可能としている。通信部１０５が利用する通信インタフェースとしては、例えば、Ｂｌｕｅｔｏｏｔｈ（登録商標）や各種ワイヤレスＬＡＮ（例えば、ＩＥＥＥ８０２．１１ａ，１１ｂ，１１ｇ）などの他、ＩＥＥＥ８０２．１５などに規定されるＵＷＢなど、ワイヤレス物理層を使用するワイヤレス物理層、またはｉモード（登録商標）、ｅｚ−ｗｅｂ（登録商標）などの９００ＭＨｚ帯、所謂自動車電話に使用されるワイヤレス物理層、またはＰＨＳ(Personal Handy-Phone System)のワイヤレス物理層を実装し、プロトコル変換を可能としている。
【００１９】
サーバ１０６は、撮像装置１００に提供するＲＳＳデータを記憶しているサーバであって、例えば、通常のパーソナル・コンピュータ、ワークステーション、その他のコンピュータによって構成され、Ｗｅｂサーバとして実装される。
【００２０】
図２は、撮像装置１００のハードウェア構成の実施形態を示す。図２に示すように、撮像装置１００は、ＣＰＵ２０１と、撮像部２０２と、記憶部を構成するＲＯＭ２０３およびＲＡＭ２０４と、メモリカード・インタフェース（Ｉ／Ｆ）部２０５と、通信インタフェース（Ｉ／Ｆ）部２０６と、ユーザ・インタフェース（ＵＩ）部２０７とを備えている。また、各部はそれぞれ、内部バス２０８を介して接続されていて、データの相互伝送を行っている。なお、撮像装置１００は、記憶部を構成するために、ハードディスク・ドライブを備えていても良い。
【００２１】
ＣＰＵ２０１は、撮像装置１００全体の制御を行う中央処理装置であり、ＲＯＭ２０３に格納されているプログラムを実行することで、各種機能を実現する。撮像部２０２は、被写体の撮像を行うためのハードウェアであって、例えば、レンズなどの光学系、撮像素子（ＣＣＤやＣＭＯＳ）、信号処理回路などによって構成される。
【００２２】
ＲＯＭ２０３は、撮像装置１００が提供する各種機能を実現するためにＣＰＵ２０１によって利用されるプログラムなどが格納されている記憶部を提供する。ＲＡＭ２０４は、ＣＰＵ２０１などによって利用される各種データなどを一時的に格納し、またＣＰＵ２０１の実行空間を提供するための記憶部を提供する。
【００２３】
メモリカード・インタフェース部２０５は、撮像装置１００のスロットなどに装着された記録媒体（例えば、各種小型メモリカード）に対する画像データの書き込みなどを可能とし、記憶部を構成する機能要素を提供している。通信インタフェース部２０６は、外部機器（例えば、サーバ１０６）との通信を実現する。撮像装置１００が実装することができる通信インタフェース２０６は、ワイヤレス物理層を実装し、撮像装置１００が使用できるプロトコル変換を実行可能としている。
【００２４】
ユーザ・インタフェース部２０７は、撮像装置１００のユーザ・インタフェースを提供するものであり、例えば、液晶ディスプレイなどの表示装置や、キーボタン、シャッターボタン、モードダイヤルなどの入力装置によって構成される。
【００２５】
また、撮像装置１００は、ネットワーク１０７を介してＨＴＭＬ、ＸＭＬなどの構造化文書を、ＨＴＴＰプロトコルにしたがう伝送パケットを作成し、ネットワーク１０７を介してサーバ１０６へと送信する。なお、撮像装置１００は、サーバ１０６からのＨＴＴＰレスポンスを取得して応答パケットを解析し、ペイロード領域に記述されたＲＳＳデータをパースして、撮像装置１００が表示できる固有フォーマットに変換を実行する。
【００２６】
以下、撮像装置１００が実行する処理の実施形態を説明する。図３は、撮像装置１００において実行される処理の流れを示すフローチャートである。当該処理は、例えば、撮像装置１００において定期的またはユーザ指令により実行される。
【００２７】
図３に示す処理は、ステップＳ３００から開始し、ステップＳ３０１で、撮像装置１００の通信部１０５は、ビーコン・パケットの検出などを使用してワイヤレスＬＡＮのアクセス・ポイントを探索し、ワイヤレス通信可能なアクセス・ポイントが周囲に存在するか否かをチェックする。ステップＳ３０１でのチェックの結果、ワイヤレス通信可能なアクセス・ポイントが周囲に存在しない場合（Ｎｏ）は、処理を終了する。その後、所定時間経過後、撮像装置１００は、再度、図３のステップＳ３００からの処理を開始して、アクセス・ポイントの探索を継続して実行する。
【００２８】
一方、ステップＳ３０１でのチェックの結果、ワイヤレス通信可能なアクセス・ポイントが周囲に存在する場合（Ｙｅｓ）、ステップＳ３０２で、当該ワイヤレス通信可能なアクセス・ポイントを介してネットワーク・ゲートウェイに接続し、ステップＳ３０３で、ネットワーク１０７を介して該当するサーバ１０６が、Ｗｅｂサーバとして存在するか否かを、ＤＮＳサーバやネットワーク・アドレスを検索キーとして使用し、チェックする。
【００２９】
ステップＳ３０３のチェックの結果、Ｗｅｂサーバが存在しない場合（Ｎｏ）は、ＲＳＳデータも存在しないと判断して、処理を終了する。そして、撮像装置１００は、所定時間経過後、再度、図３に示した処理を開始する。
【００３０】
一方、ステップＳ３０３でのチェックの結果、Ｗｅｂサーバが存在する場合（Ｙｅｓ）には、ステップＳ３０４でＷｅｂサーバのネットワーク・アドレスを宛先アドレスとし、撮像装置１００のネットワーク・アドレス（ＩＰｖ４、ＩＰｖ６仕様のＩＰアドレスとすることもできるし、メール・アドレスまたは電話番号といった固有の識別値とすることもできる。）を送信元アドレスとして、ＴＣＰヘッダに、ポート番号８０を記述して要求パケットを作成する。その後、撮像装置１００は、作成した要求パケットをワイヤレス物理層に伝送し、Ｗｅｂサーバに対して要求パケットを送信する。その後、撮像装置１００は、Ｗｅｂページ（例えば、index.html）を、ＨＴＭＬ、ＸＨＴＭＬ、ＸＭＬなどの構造化文書のフォーマットとしてダウンロードする。
【００３１】
次に、ステップＳ３０５で、撮像装置１００の制御部１０１は、ステップＳ３０４でダウンロードした構造化文書をパーサを起動させ解析して、ＲＳＳオートディスカバリー機能が利用できるか否かを確認する。ＲＳＳオートディスカバリー機能の確認処理は、Ｗｅｂページを構成する構造化文書のヘッダ部分に、リンク情報が記述されていることを使用して実行される。具体的にオートディスカバリー機能を指定する場合には、ヘッダにリンク情報“application／rss+xml”のタイプのリンクまたはハイパーリンクが含まれているか否かを確認する。
【００３２】
ステップＳ３０５での解析の結果、ＲＳＳオートディスカバリー機能が利用できない場合、すなわち、Ｗｅｂページにオートディスカバリー情報が含まれていない場合（Ｎｏ）には、Ｗｅｂページがオートディスカバリー機能を提供しておらず、ＲＳＳデータが存在しないと判断して、処理を終了する。そして、所定時間経過後、撮像装置１００は、再度、図３に示した処理を開始する。
【００３３】
一方、ステップＳ３０５での解析の結果、ＲＳＳオートディスカバリー機能が利用できる場合、すなわち、Ｗｅｂページにオートディスカバリー情報が含まれている場合は（Ｙｅｓ）、ステップＳ３０６で、撮像装置１００の制御部１０１は、オートディスカバリー情報に含まれているＲＳＳデータの所在を示すＵＲＬを使って、通信部１０５を介して、ＲＳＳデータを取得（ダウンロード）し、ＲＡＭ２０４に格納する。
【００３４】
次に、ステップＳ３０７で、撮像装置１００のＲＳＳデータパーサ１０４は、ステップＳ３０６でダウンロードしたＲＳＳデータをＲＡＭ２０４から読み出し、解析して、ＲＳＳデータに含まれる情報（表示部１０２に表示させる情報）を適宜抽出し、表示データを作成し、ＲＡＭ２０４に格納する。その後、ステップＳ３０８で、撮像装置１００の制御部１０１は、ステップＳ３０７で作成された表示データを、表示部１０２に渡し、透過処理などを施して、適切な表示形式で表示させる。
【００３５】
次に、以上のような構成を有する撮像装置１００が実行する処理の実施形態について説明する。以下、特定の実施形態として、撮像装置１００を携帯したユーザが、遊園地を訪れた場合を例にして説明を行う。また、撮像装置１００の通信部１０５（通信インタフェース部２０６）は、ＩＥＥＥ８０２．１１、９００ＭＨｚ帯のデジタル通信（例えばｉ−モード（登録商標）、ｅｚ−ｗｅｂ（登録商標）などのデータ通信プロコルを使用する方式）、ＰＨＳまたはＵＷＢなどの通信基盤を使用したワイヤレスＬＡＮによって外部機器との通信を行うものとする。
【００３６】
ユーザが、撮像装置１００を携帯して遊園地に入園し、撮像装置１００の電源を入れると、撮像装置１００は、所定の初期化処理後、撮像装置としての通常の動作を開始する。また、撮像装置１００は、ユーザ設定などによってＲＳＳデータの受信及び表示が指示されている場合、ワイヤレスＬＡＮのアクセス・ポイントの検索を開始する。
【００３７】
撮像装置１００は、遊園地内に設置されたワイヤレスＬＡＮの基地局や、所謂ホットスポットなどのワイヤレス通信へのアクセス・ポイントを見つけると、当該アクセス・ポイントを経由して、遊園地に導入されている、インターネットなどの公共ネットワーク１０７を介してサーバ１０６に接続する。サーバ１０６への接続のため、撮像装置１００は、ＵＲＬまたはＵＲＩまたはＩＰアドレスなど、サーバ１０６を固有に識別可能なネットワーク・アドレスを、ＮＶＲＡＭなどに登録しておくことができる。撮像装置１００は、サーバ１０６に接続すると、サーバ１０６が管理するＲＳＳデータの検索を行う。
【００３８】
撮像装置１００は、サーバ１０６に格納されたＲＳＳデータの検索に成功すると、ＧＥＴコマンドをサーバ１０６に送付し、検索されたＲＳＳデータを、ＲＡＭ２０４にダウンロードする。撮像装置１００は、ダウンロードしたＲＳＳデータに含まれている情報を、パースして撮像装置１００が表示できるフォーマットに変換し、ＲＡＭ２０４に表示用データとして格納する。
【００３９】
その後、撮像装置１００は、表示用データをＲＡＭ２０４から読出して撮像装置１００の表示部１０２に表示する。ＲＳＳデータは、例えば、現在、遊園地で開催されているイベント情報、レストラン、アトラクションの情報などの他、サーバ１０６が当該ＲＳＳデータとしてアップデート可能ないかなる種類の情報として構成することができる。
【００４０】
なお、本実施形態の撮像装置１００は、取得したＲＳＳデータから生成した表示データを、ユーザが撮像装置１００で写真を撮っている時などに邪魔にならない態様で表示させる。例えば、撮像装置１００は、表示画面の下端部の１行分の領域が、表示データを表示させるための表示領域として割当てられている。撮像装置１００は、表示領域に収まるように表示データのフォーマットを作成し、表示領域に収まりきらなかった表示データについて、ユーザからの指令に対応して、メッセージをスクロールさせながら表示させる。
【００４１】
また、ＲＳＳデータに、文字情報だけでなく、画像情報（例えば、入場した施設の地図の画像）が含まれており、表示部１０２の画面全体を表示領域として割当てることができる。この実施形態では、撮像装置１００で撮像している画像を同時に表示させる場合は、画像データのアルファ・データなどを調整して、上側となる画像レイヤを透過処理し、透過的な表示を行う。
【００４２】
図４は、撮像装置１００の表示部１０２に表示される画面の実施形態を示す図である。図４に示すように、当該画面においては、下端部の１行分の領域を使って、メッセージが表示されている。すなわち、撮像装置１００で撮像した画像の下端部分に、１行分のメッセージが重ねて表示されている。画面の下端部に表示されるメッセージは、ＲＳＳデータから抽出された文字情報である。ＲＳＳデータから抽出されたメッセージ（文字情報）が画面に収まらない場合は、ダイヤル・ボタンなどからのユーザ指令ごとに、表示データの表示箇所を選択し、表示させることで、ＲＳＳデータをスクロールさせながら表示させることができる。
【００４３】
また、ＲＳＳデータに複数のメッセージ（文字情報）が含まれている場合は、複数のメッセージを順次、スクロールさせながら表示させる。図４の実施形態は、一般にさほど大きくない撮像装置１００の表示画面においても、撮影などの装置本体の本来機能と並列的に、ＲＳＳデータを表示させることが可能となる。
【００４４】
図５は、撮像装置１００の表示部１０２に表示させる画面の別の実施形態を示す。図５に示す実施形態では、表示画面の画面全体を使って、図形や記号などの画像が透過的に表示されている。すなわち、撮像装置１００で撮像した上側レイヤの、ＴＩＦＦ、ＰＮＧ、ＧＩＦなどのフォーマットのデータのアルファ・データ領域の透過属性を過渡的に、上側レイヤに対して透過色指定を行うように修正し、下側レイヤの表示情報を透過させる。このため、表示部１０２に表示される画像の上に図形や記号などが重ねて表示されている。なお、画面全体にわたって表示されている図形や記号などは、ＲＳＳデータから抽出された画像情報である。このようにして表示させることにより、撮像装置１００の表示部１０２に表示された画像データ自体が変化した場合にでも、表示データが表示画面の一部に固定表示されるので、表示データの識別・認識性を向上させることができる。
【００４５】
図４および図５に説明した表示態様を使用することで、撮影などへの影響を最小限に抑えつつ、ユーザに有用な情報を効果的に提供することが可能となる。
【００４６】
以上説明したように、上述した実施形態によれば、ワイヤレス通信を介して、ＲＳＳデータを取得して、表示部に表示させることができるので、例えば、遊園地その他の施設内に、ワイヤレス通信設備（例えば、ワイヤレスＬＡＮのアクセス・ポイント）を設置し、当該ワイヤレス通信設備を介して接続可能なネットワークを介して接続されたサーバ１０６上に、当該施設を訪れた者に提供したい情報をＲＳＳデータとして登録することで、撮像装置を携帯して当該施設を訪れた者に対して、様々な情報を迅速に提供することが可能となる。例えば、イベント情報（イベントの概要や開始時刻など）を提供することで、当該イベントの撮影を行いたいユーザが、撮影の機会を逸することを防止することができ、顧客満足度を向上させることが可能となる。
【００４７】
上述した実施形態の各機能は、アセンブリ言語、Ｃ、Ｖｉｓｕａｌ  Ｃ、Ｃ＋＋、Ｖｉｓｕａｌ  Ｃ＋＋、Ｊａｖａ（登録商標）、Ｊａｖａ（登録商標）Ｂｅａｎｓ、Ｊａｖａ（登録商標）Ａｐｐｌｅｔ、Ｊａｖａ（登録商標）Ｓｃｒｉｐｔ、Ｐｅｒｌ、Ｒｕｂｙなど、レガシープログラミング言語やオブジェクト指向プログラミング言語などで記述された装置実行可能なプログラムにより実現でき、装置可読な記録媒体に格納して頒布することができる。
【００４８】
これまで本発明を図面に示した実施形態をもって説明してきたが、本発明は図面に示した実施の形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【図面の簡単な説明】
【００４９】
【図１】撮像装置の機能構成の実施形態を示す図。
【図２】撮像装置のハードウェア構成の実施形態を示す図。
【図３】撮像装置において実行される処理の実施形態のフローチャート。
【図４】撮像装置の表示部に表示される画面の実施形態を示す図。
【図５】撮像装置の表示部に表示させる画面の別の実施形態を示す図。
【符号の説明】
【００５０】
１００…撮像装置、１０１…制御部、１０２…表示部、１０３…撮像部、１０４…ＲＳＳデータパーサ、１０５…通信部、１０６…サーバ、１０７…ネットワーク、２０１…ＣＰＵ、２０２…撮像部、２０３…ＲＯＭ（記憶部）、２０４…ＲＡＭ（記憶部）、２０５…メモリカード・インタフェース部、２０６…通信インタフェース部、２０７…ユーザ・インタフェース部、２０８…内部バス、３００…表示領域
【図１】
2008236109.tif 000003
【図２】
2008236109.tif 000004
【図３】
2008236109.tif 000005
【図４】
2008236109.tif 000006
【図５】
2008236109.tif 000007